(57)【要約】  居住空間において角部や出隅部における安全性を向上できると共に、更に美観も維持できる構造を持つ光高効率な照明装置及び照射部材を提供する。第１の発光部ＬＤ１から照射され、保持部材ＨＬの内凸部近傍を通過する光線は、入射面ＩＰに角度δで入射するが、入射面ＩＰが傾いているため屈折して、出射面ＯＰからは、角度δより小さい角度γで出射する。
2012081360.tif 000002
【特許請求の範囲】
【請求項１】
交差する２つの取り付け面に取り付けられる照明装置用の照射部材であって、
前記照射部材が、それぞれ発光面を形成した第１の発光部と第２の発光部を備えた光源から照射された光を入射する入射面と、一部が曲面となっており入射した光を出射する出射面とを有し、
前記２つの取り付け面の交差線に直交し且つ前記照射部材を横切る仮想平面に、前記第１の発光部及び前記第２の発光部の発光面中心から光が照射される方向に伸びる該発光面についての２つの法線を投影したときに、前記仮想平面上で投影された前記第１の発光部と第２の発光部の発光面中心から等距離の位置で２つの法線が交差しており、
前記照射部材を、前記仮想平面で切断したときに、その断面形状における肉厚Ｄは、前記第１の発光部又は前記第２の発光部から遠ざかるに連れて変化することを特徴とする照射部材。
【請求項２】
前記出射面は、一対の平面と、前記平面を連結する前記曲面とからなり、前記曲面は前記仮想平面上で投影された前記第１の発光部と第２の発光部の発光面中心から等距離の位置に頂点を有することを特徴とする請求項１に記載の照射部材。
【請求項３】
前記照射部材は、前記仮想平面における断面において、前記第１の発光部と第２の発光部の発光面中心から等距離の直線に対して対称形状を有することを特徴とする請求項１又は２に記載の照射部材。
【請求項４】
前記仮想平面上で前記２つの取り付け面の法線は互いに離れる方向に伸びており、前記２つの取り付け面のなす角をθとし、前記仮想平面に投影された前記２つの法線のなす角をαとすると、α≦θを満たすことを特徴とする請求項１乃至３のいずれか１項に記載の照射部材。
【請求項５】
前記照明装置は、前記光源及び前記照射部材を保持する保持部材を有し、前記保持部材と前記照射部材との間に形成された空間を前記仮想平面で切断すると、略Ｌ字状の断面となることを特徴とする請求項４に記載の照射部材。
【請求項６】
前記仮想平面上で前記２つの取り付け面の法線は交差する方向に伸びており、前記２つの取り付け面のなす角をθとし、前記仮想平面に投影された前記２つの法線のなす角をαとすると、α≦θを満たすことを特徴とする請求項１乃至３のいずれか１項に記載の照射部材。
【請求項７】
前記照明装置は、前記光源及び前記照射部材を保持する保持部材を有し、前記保持部材と前記照射部材との間に形成された空間を前記仮想平面で切断すると、略正方形又は略菱形の断面となることを特徴とする請求項６に記載の照射部材。
【請求項８】
前記肉厚Ｄは、前記第１の発光部又は前記第２の発光部から出射される光が到達する有効範囲内で連続的に滑らかに変化することを特徴とする請求項１乃至７のいずれか１項に記載の照射部材。
【請求項９】
前記肉厚Ｄは、前記第１の発光部及び前記第２の発光部の少なくとも一方から遠ざかるに連れて漸次薄くなることを特徴とする請求項１乃至８のいずれか１項に記載の照射部材。
【請求項１０】
前記肉厚Ｄは、前記入射面の中央部で最も薄くなることを特徴とする請求項９に記載の照射部材。
【請求項１１】
前記肉厚Ｄは、前記第１の発光部及び前記第２の発光部の少なくとも一方から遠ざかるに連れて薄くなった後、再び厚くなることを特徴とする請求項１乃至８のいずれか１項に記載の照射部材。
【請求項１２】
前記照射部材の入射面と出射面の少なくとも一方は、単一の非球面式で表現される形状を有することを特徴とする請求項１乃至１１のいずれか１項に記載の照射部材。
【請求項１３】
前記照射部材は拡散効果を持つ構造を有することを特徴とする請求項１乃至１２のいずれか１項に記載の照射部材。
【請求項１４】
前記照射部材の入射面を前記仮想平面に投影したときに、前記入射面の中央の点と、前記中央の点から両側において最も離れている二点との合計三点を通る楕円形の一部で、前記入射面の形状が表現され、前記楕円形の長径は前記中央の点を含むことを特徴とする請求項１乃至１３のいずれか１項に記載の照射部材。
【請求項１５】
前記照射部材は、複数の部材を組み合わせてなることを特徴とする請求項１乃至１４のいずれか１項に記載の照射部材。
【請求項１６】
前記照射部材の内部に空気層を設けたことを特徴とする請求項１乃至１５のいずれか１項に記載の照射部材。
【請求項１７】
前記仮想平面上で、前記入射面における前記第１の発光部又は前記第２の発光部から出射される光が到達する有効範囲内で、前記第１の発光部と第２の発光部の発光面中心から等距離の位置の肉厚をＤ１、それ以外で最大となる部分の肉厚をＤ２としたときに、1＜Ｄ２／Ｄ１を満たすことを特徴とする請求項１乃至１６のいずれか１項に記載の照射部材。
【請求項１８】
請求項１乃至１７のいずれか１項に記載の照射部材と、前記第１の発光部及び前記第２の発光部を有する光源と、前記光源及び前記照射部材を保持する保持部材とを有することを特徴とする照明装置。
【請求項１９】
前記保持部材は、前記第１の発光部又は前記第２の発光部からの光が照射される部分に拡散効果を持つ構造を有することを特徴とする請求項１８に記載の照明装置。
【発明の詳細な説明】
【技術分野】
【０００１】
本発明は、照射部材及び照明装置に関し、特に、ＬＥＤ光源などからの光を好適に用いて均一な照明を行うための照射部材及び照明装置に関する。
【背景技術】
【０００２】
建物の多くは柱や壁を持ち、それらが略直角の角部を作り出す構造は非常に多い。かかる角部を「出隅部」ということもある。ところで、屋内に出っ張った角部があると、不用意に人や物が衝突し、双方にダメージを与えるなどの被害をもたらすことがある。特に高齢者の一人暮らしが増加しつつある昨今の住宅実情では、屋内における危険を最小限に抑えることが望ましいといえる。よって、安全性の観点から特に注意を必要とする出隅等の角部に取り付け可能な照明装置が求められている。又、角部に照明を設けることで、インテリアデザインを向上させる効果もある。【０００３】
これに対し特許文献１、２には、出隅部に取り付けることができる照明装置が開示されている。特許文献１の照明装置は、出隅部をはじめとする建築部材に顔料をコートし、日中の間に光を蓄え、夜間にその光を徐々に放出していく燐光方式を採用している。一方、特許文献２の照明装置は、光源を出隅内部に配置し、照明の出隅カバー部とは逆の方向に向かって光を照射し、一度光を反射させることで光路長を長くとって、光を均等に拡散させる機構を持っている。
【先行技術文献】
【特許文献】
【０００４】
【特許文献１】特開2001-329750号公報
【特許文献２】特開2005-285664号公報
【発明の開示】
【発明が解決しようとする課題】
【０００５】
しかし、特許文献１の照明装置では、日中に光の当たらない部分は光らないという問題があり、常に照明効果を期待できるとは言い難い。それに対し、特許文献２の照明装置では、光源を内蔵しているため、日中に光が当たらずとも夜間に発光することが可能となっている。【０００６】
しかしながら、特許文献２に示された構造では、光を一度反射することによって照明光としており、直接光を照射する場合に比べて効率の低下は免れない。また、光源の設置部により光が遮光され、照明の長手方向に竹節のように照度のムラが生じており、必ずしも全ての空間に最適な照明を提供することができず、更に美観を損ねているという問題がある。【０００７】
本発明は上記課題を鑑みてなされたものであり、居住空間において角部や出隅部における安全性を向上できると共に、更に美観も維持できる構造を持つ高効率な照明装置及び照射部材を提供することを目的とする。
【課題を解決するための手段】
【０００８】
請求項１に記載の照射部材は、交差する２つの取り付け面に取り付けられる照明装置用の照射部材であって、
前記照射部材が、それぞれ発光面を形成した第１の発光部と第２の発光部を備えた光源から照射された光を入射する入射面と、一部が曲面となっており入射した光を出射する出射面とを有し、
前記２つの取り付け面の交差線に直交し且つ前記照射部材を横切る仮想平面に、前記第１の発光部及び前記第２の発光部の発光面中心から光が照射される方向に伸びる該発光面についての２つの法線を投影したときに、前記仮想平面上で投影された前記第１の発光部と第２の発光部の発光面中心から等距離の位置で２つの法線が交差しており、
前記照射部材を、前記仮想平面で切断したときに、その断面形状における肉厚Ｄは、前記第１の発光部又は前記第２の発光部から遠ざかるに連れて変化することを特徴とする。【０００９】
本発明の原理を、図面を参照して説明する。但し、本発明が以下の例に制限されないことはいうまでもない。図１は、本発明の一例にかかる照射部材を有する照明装置の斜視図である。図２は、参考例にかかる照射部材を有する照明装置の斜視図である。【００１０】
図１、２においては、２つの取り付け面ＡＰ１，ＡＰ２は、その法線が互いに離れる方向に伸びるように直角に交差している。２つの取り付け面ＡＰ１，ＡＰ２の交差線をＸＬとしたときに、交差線ＸＬに直交し、照明装置を横切る平面を仮想平面ＶＰとする。【００１１】
図３は、本発明の照明装置を仮想平面ＶＰで切断した状態を示す断面図であり、図４は、参考例の照明装置を仮想平面ＶＰで切断した状態を示す断面図であり、それぞれ光源は仮想平面ＶＰ上に投影した状態で示している。【００１２】
図３において、照明装置は、出隅部を構成する２つの取り付け面ＡＰ１，ＡＰ２に取り付けられる断面がＬ字状の保持部材ＨＬと、保持部材ＨＬの両端側にそれぞれ取り付けられた第１発光部ＬＤ１及び第２発光部ＬＤ２からなる光源と、保持部材ＨＬに両端を保持された折り曲げた板状の照射部材ＬＭとを有する。照射部材ＬＭは、第１発光部ＬＤ１及び第２発光部ＬＤ２からの光を入射する入射面ＩＰと、一対の平面ＦＰ１，ＦＰ２と、平面ＦＰ１，ＦＰ２を連結する曲面ＣＰとからなる出射面ＯＰと、を有する。【００１３】
保持部材ＨＬの形状と、光源の配置は、図３と図４とで共通とする。但し、図４に示すように参考例の照射部材ＬＭ’は、板厚（肉厚）Ｄが一様であるのに対し、図３に示す本発明の照射部材ＬＭは、板厚（肉厚）Ｄが第１発光部ＬＤ１及び第２発光部ＬＤ２から遠ざかるに連れて漸次減少している。つまり、照射部材ＬＭ、ＬＭ’において、出射面ＯＰ，ＯＰ’の形状は同じであるが、入射面ＩＰ、ＩＰ’の形状は異なっている。【００１４】
ここで、図４に示す参考例の場合、第１の発光部ＬＤ１から照射され、保持部材ＨＬの内凸部近傍を通過する光線は、入射面ＩＰ’に角度δで入射した後、出射面ＯＰからは、再び角度δで出射する。一方、図３に示す本発明の場合、第１の発光部ＬＤ１から照射され、保持部材ＨＬの内凸部近傍を通過する光線は、入射面ＩＰに角度δで入射するが、入射面ＩＰ及び出射面ＯＰで屈折して、出射面ＯＰからは、角度δより小さい角度γで出射する。参考例と比べて明らかであるが、本発明の場合には、第１の発光部ＬＤ１から出射した光は、第２の発光部ＬＤ２の外側に回り込むように周辺部に向けて出射されるため、負レンズと同様の効果を持たせて出射光をより拡散させることが出来、種々の方向から見て出隅部が明るく照明されることで安全性が高まり、またインテリアデザイン上もすぐれている。つまり、照度のムラが生じにくい構造であるから、様々な空間に応用が利く照明装置を提供できる。尚、以上の効果は第２の発光部ＬＤ２においても同様である。【００１５】
尚、本明細書中、「面が交差する」というときは、必ずしも物理的に交差している必要はなく、実際の面の延長面が交差している場合も含む。又、出射部材の肉厚Ｄは、出射面に直交する方向の厚さをいうものとする。【００１６】
請求項２に記載の照射部材は、請求項１に記載の発明において、前記出射面は、一対の平面と、前記平面を連結する前記曲面とからなり、前記曲面は前記仮想平面上で投影された前記第１の発光部と第２の発光部の発光面中心から等距離の位置に頂点を有することを特徴とする。図３を参照し、曲面ＣＰは、第１の発光部ＬＤ１と第２の発光部ＬＤ２の発光面中心から等距離の位置に頂点Ｔを有する。【００１７】
請求項３に記載の照射部材は、請求項１又は２に記載の発明において、前記照射部材は、前記仮想平面における断面において、前記第１の発光部と第２の発光部の発光面中心から等距離の直線に対して対称形状を有することを特徴とする。図３を参照し、照射部材ＬＭは、第１の発光部ＬＤ１と第２の発光部ＬＤ２の発光面中心から等距離の直線ＣＬに対して対称的な形状を有する。これにより、出射光のパターンを対称的に出来、デザイン上好ましい。【００１８】
請求項４に記載の照射部材は、請求項１乃至３のいずれかに記載の発明において、前記仮想平面上で前記２つの取り付け面の法線は互いに離れる方向に伸びており、前記２つの取り付け面のなす角をθとし、前記仮想平面に投影された前記２つの法線のなす角をαとすると、α≦θを満たすことを特徴とする。【００１９】
図面を参照して、本発明を説明する。図５は、本発明の別な例にかかる照明装置を仮想平面ＶＰで切断した状態を示す断面図である。照射部材ＬＭの形状は、図３の本発明と同様であるが、発光部の取り付け状態が異なっている。より具体的には、２つの取り付け面ＡＰ１，ＡＰ２のなす角をθとし、仮想平面ＶＰ上に投影された、第１の発光部ＬＤ１及び第２の発光部ＬＤ２の発光面中心から光が照射される方向に伸びる発光面についての２つの法線ＶＬ１，ＶＬ２のなす角をαとしたときに、α≦θを満たすのである。【００２０】
例えば、第２の発光部ＬＤ２から側方に向かって照射された多量の光が保持部材ＨＬの内壁ＩＷに反射すると、その反射光が第２の発光部ＬＤ２を照らすことで、自身の影を照射部材ＬＭに映し出す恐れがある（図５で点線により示す影ＳＨ）。これに対し、α≦θを満たすように、第１の発光部ＬＤ１と第２の発光部ＬＤ２とを、若干外側に向けて配置することにより、保持部材ＨＬの内壁ＩＷに向かう光の量を減らすことができるので、発光部自身の影を照射部材ＬＭに映し出すことを抑制できる。またそのような配置により、照射部材ＬＭを仮想平面ＶＰに投影した際に、発光部ＬＤ１，ＬＤ２からの光が自身の法線ＶＬ１，ＶＬ２に対称な配光特性を有する場合に、半分以上の光線を直接照射部材ＬＭに到達させることが可能となる【００２１】
請求項５に記載の照射部材は、請求項４に記載の発明において、前記照明装置は、前記光源及び前記照射部材を保持する保持部材を有し、前記保持部材と前記照射部材との間に形成された空間を前記仮想平面で切断すると、略Ｌ字状の断面となることを特徴とする。図５に示すとおりである。【００２２】
請求項６に記載の照射部材は、請求項１乃至３のいずれかに記載の発明において、前記仮想平面上で前記２つの取り付け面の法線は交差する方向に伸びており、前記２つの取り付け面のなす角をθとし、前記仮想平面に投影された前記２つの法線のなす角をαとすると、α≦θを満たすことを特徴とする。【００２３】
図面を参照して、本発明を説明する。図６は、本発明の別な例にかかる照明装置を仮想平面ＶＰで切断した状態を示す断面図である。この例では、２つの取り付け面ＡＰ１，ＡＰ２が向かい合って凹部を形成しており、ここに照明装置が取り付けられている。ここで、２つの取り付け面ＡＰ１，ＡＰ２のなす角をθとし、仮想平面ＶＰ上に投影された、第１の発光部ＬＤ１及び第２の発光部ＬＤ２の発光面中心から光が照射される方向に伸びる発光面についての２つの法線ＶＬ１，ＶＬ２のなす角をαとしたときに、α≦θを満たすのである。本発明でも、図５と同様の効果がある。【００２４】
請求項７に記載の照射部材は、請求項６に記載の発明において、前記照明装置は、前記光源及び前記照射部材を保持する保持部材を有し、前記保持部材と前記照射部材との間に形成された空間を前記仮想平面で切断すると、略正方形又は略菱形の断面となることを特徴とする。図６に示すとおりである。【００２５】
請求項８に記載の照射部材は、請求項１乃至７のいずれかに記載の発明において、前記肉厚Ｄは、前記第１の発光部又は前記第２の発光部から出射される光が到達する有効範囲内で連続的に滑らかに変化することを特徴とする。肉厚Ｄが連続的に滑らかに変化することによって、照射部材の入射面に到達する光線の光路を連続的に変化させることができる。例えば、入射面に段差を設けたような場合、肉厚Ｄが不連続となるが、それに比べ入射面の表面が滑らかであれば、光線のケラレが生じることがなく、均一な照度を得ることができる。【００２６】
請求項９に記載の照射部材は、請求項１乃至７のいずれかに記載の発明において、前記肉厚Ｄは、前記第１の発光部及び前記第２の発光部の少なくとも一方から遠ざかるに連れて漸次薄くなることを特徴とする。かかる特徴によれば、照射部材の厚みを中央部分から周辺部に向かうに従って増加させることができるが、照射部材を仮想平面に投影した断面形状において、負のメニスカスレンズの構造をとることができ、光をより拡散することが可能となる。【００２７】
請求項１０に記載の照射部材は、請求項９に記載の発明において、前記肉厚Ｄは、前記入射面の中央部で最も薄くなることを特徴とする。【００２８】
請求項１１に記載の照射部材は、請求項１乃至８のいずれかに記載の発明において、前記肉厚Ｄは、前記第１の発光部及び前記第２の発光部の少なくとも一方から遠ざかるに連れて薄くなった後、再び厚くなることを特徴とする。このような形状でも本発明の効果がある。【００２９】
請求項１２に記載の照射部材は、請求項１乃至１１のいずれかに記載の発明において、前記照射部材の入射面と出射面の少なくとも一方は、単一の非球面式で表現される形状を有することを特徴とする。照射部材が非球面式で表される形状をとることで、より効果的な負レンズの効果を得ることができる。また、曲線と直線を組み合わせる形状よりも面形状の定義が容易になり、金型による成形性向上が図れる。【００３０】
請求項１３に記載の照射部材は、請求項１乃至１２のいずれかに記載の発明において、前記照射部材は拡散効果を持つ構造を有することを特徴とする。前記照射部材を通過する光を適度にばらつかせ、より照度のムラを低減させる効果がある。また、光源が直接見えない構造とすることで不快グレアの抑制の効果もある。「拡散効果を持つ構造」とは、照射部材の表面を、細かい凹凸を付けた粗面としたもの、白色塗装を施したものなどがある。【００３１】
請求項１４に記載の照射部材は、請求項１乃至１３のいずれかに記載の発明において、前記照射部材の入射面を前記仮想平面に投影したときに、前記入射面の中央の点と、前記中央の点から両側において最も離れている二点との合計三点を通る楕円形の一部で、前記入射面の形状が表現され、前記楕円形の長径は前記中央の点を含むことを特徴とする。図３に、楕円形ＯＶの例を点線で示すが、直線ＣＬ上に重なる長径がａ、短径がｂである。かかる特徴によれば、照射部材の厚みを中央部分から周辺部に向かうに従って増加させることができるが、照射部材を仮想平面に投影した断面形状において、負のメニスカスレンズの構造をとることができ、光をより拡散することが可能となる。【００３２】
請求項１５に記載の照射部材は、請求項１乃至１４のいずれかに記載の発明において、前記照射部材は、複数の部材を組み合わせてなることを特徴とする。成形が比較的容易な肉厚が均一な部材に、他の部材を組み合わせることで、結果的に負レンズのような構造・効果を持たせることが可能となる。【００３３】
請求項１６に記載の照射部材は、請求項１乃至１５のいずれかに記載の発明において、前記照射部材の内部に空気層を設けたことを特徴とする。一旦、照射部材の入射面から入射した光が、照射部材内部の空気層を通過することで、スネルの法則にしたがって更に周辺部に向かうよう角度付けされた光線となる。このような構造をとることで、照射部材の出射面から出射する光をより周辺部側に導くことが可能となる。【００３４】
請求項１７に記載の照射部材は、請求項１乃至１６のいずれかに記載の発明において、前記仮想平面上で、前記入射面における前記第１の発光部又は前記第２の発光部から出射される光が到達する有効範囲内で、前記第１の発光部と第２の発光部の発光面中心から等距離の位置の肉厚をＤ１、それ以外で最大となる部分の肉厚をＤ２としたときに、1＜Ｄ２／Ｄ１を満たすことを特徴とする。照射部材の中央部側の厚みよりも周辺部側の厚みを厚くすることで、照射部材に負レンズの効果を持たせることが可能となる。より望ましくは2≦Ｄ２／Ｄ１を満たすことである。【００３５】
請求項１８に記載の照明装置は、請求項１乃至１７のいずれかに記載の照射部材と、前記第１の発光部及び前記第２の発光部を有する光源と、前記光源及び前記照射部材を保持する保持部材とを有することを特徴とする。【００３６】
請求項１９に記載の照明装置は、請求項１８に記載の発明において、前記保持部材は、前記第１の発光部又は前記第２の発光部からの光が照射される部分に拡散効果を持つ構造を有することを特徴とする。前記保持部材で反射する光を適度にばらつかせ、より照度のムラを低減させる効果がある。
【発明の効果】
【００３７】
本発明によれば、コンパクトな構成ながら、出隅部等から適切に照明させることができる照明装置及び照射部材を提供することができる。
【図面の簡単な説明】
【００３８】
【図１】本発明の一例にかかる照明装置の斜視図である。
【図２】参考例にかかる照明装置の斜視図である。
【図３】本発明の照明装置を仮想平面ＶＰで切断した状態を示す断面図である。
【図４】参考例の照明装置を仮想平面ＶＰで切断した状態を示す断面図である。
【図５】本発明にかかる別な照明装置を仮想平面ＶＰで切断した状態を示す断面図である。
【図６】本発明にかかる別な照明装置を仮想平面ＶＰで切断した状態を示す断面図である。
【図７】本実施の形態にかかる照明装置ＬＰを、互いに交差するルーム壁１とルーム壁２の出隅部に取り付けた状態を示す図である。
【図８】照明装置ＬＰの斜視図である。
【図９】比較例を測定する検出器を説明するための図である。
【図１０】比較例と実施例１の照度を比べて示す図である。
【図１１】（ａ）は実施例１の断面図、（ｂ）は平面型検出器ＰＤ１で検出した照度を示すグラフ、（ｃ）は平面型検出器ＰＤ２で検出した照度を示すグラフである。
【図１２】（ａ）は実施例２の断面図、（ｂ）は平面型検出器ＰＤ１で検出した照度を示すグラフ、（ｃ）は平面型検出器ＰＤ２で検出した照度を示すグラフである。
【図１３】（ａ）は実施例３の断面図、（ｂ）は平面型検出器ＰＤ１で検出した照度を示すグラフ、（ｃ）は平面型検出器ＰＤ２で検出した照度を示すグラフである。
【図１４】（ａ）は実施例４の断面図、（ｂ）は平面型検出器ＰＤ１で検出した照度を示すグラフ、（ｃ）は平面型検出器ＰＤ２で検出した照度を示すグラフである。
【図１５】（ａ）は実施例５の断面図、（ｂ）は平面型検出器ＰＤ１で検出した照度を示すグラフ、（ｃ）は平面型検出器ＰＤ２で検出した照度を示すグラフである。
【図１６】（ａ）は実施例６の断面図、（ｂ）は平面型検出器ＰＤ１で検出した照度を示すグラフ、（ｃ）は平面型検出器ＰＤ２で検出した照度を示すグラフである。
【図１７】（ａ）は実施例７の断面図、（ｂ）は平面型検出器ＰＤ１で検出した照度を示すグラフ、（ｃ）は平面型検出器ＰＤ２で検出した照度を示すグラフである。
【図１８】（ａ）は実施例８の断面図、（ｂ）は平面型検出器ＰＤ１で検出した照度を示すグラフ、（ｃ）は平面型検出器ＰＤ２で検出した照度を示すグラフである。
【図１９】変形例にかかる照明装置の断面図である。
【図２０】変形例にかかる照明装置の断面図である。
【図２１】（ａ）は、照射部材に空洞を設けない例の断面図、（ｂ）は平面型検出器ＰＤ１で検出した照度を示すグラフ、（ｃ）は平面型検出器ＰＤ２で検出した照度を示すグラフである。
【図２２】（ａ）は、照射部材に空洞を設けた例の断面図、（ｂ）は平面型検出器ＰＤ１で検出した照度を示すグラフ、（ｃ）は平面型検出器ＰＤ２で検出した照度を示すグラフである。
【図２３】照射部材の入射面と出射面を非球面式で表した実施例９を示す断面図である。
【図２４】（ａ）は比較例２の断面図、（ｂ）は平面型検出器ＰＤ１で検出した照度を示すグラフ、（ｃ）は平面型検出器ＰＤ２で検出した照度を示すグラフである。
【図２５】（ａ）は実施例１０の断面図、（ｂ）は平面型検出器ＰＤ１で検出した照度を示すグラフであり、（ｃ）は平面型検出器ＰＤ２で検出した照度を示すグラフである。
【図２６】Ｄ２／Ｄ１＝１としたときの、（ａ）は照射部材の断面図、（ｂ）は平面型検出器ＰＤ１で検出した照度を示すグラフ、（ｃ）は平面型検出器ＰＤ２で検出した照度を示すグラフである。
【図２７】Ｄ２／Ｄ１＝１．１としたときの、（ａ）は照射部材の断面図、（ｂ）は平面型検出器ＰＤ１で検出した照度を示すグラフ、（ｃ）は平面型検出器ＰＤ２で検出した照度を示すグラフである。
【図２８】Ｄ２／Ｄ１＝１．７としたときの、（ａ）は照射部材の断面図、（ｂ）は平面型検出器ＰＤ１で検出した照度を示すグラフ、（ｃ）は平面型検出器ＰＤ２で検出した照度を示すグラフである。
【図２９】Ｄ２／Ｄ１＝２．２としたときの、（ａ）は照射部材の断面図、（ｂ）は平面型検出器ＰＤ１で検出した照度を示すグラフ、（ｃ）は平面型検出器ＰＤ２で検出した照度を示すグラフである。
【発明を実施するための形態】
【００３９】
以下、図面を参照して、本発明の実施の形態をさらに詳細に説明する。図７は、本実施の形態にかかる照明装置ＬＰを、互いに交差するルーム壁１とルーム壁２の出隅部に取り付けた状態を示す図である。出隅部は、２つの取り付け面ＡＰ１，ＡＰ２を有する。
【００４０】
図８は、照明装置ＬＰの斜視図である。照明装置ＬＰは、出隅部を構成する２つの取り付け面ＡＰ１，ＡＰ２に背面を取り付けられる保持部材ＨＬと、第１発光部ＬＤ１及び第２発光部ＬＤ２からなる光源と、保持部材ＨＬに両端を接着保持された折り曲げた板状の照射部材ＬＭとを有する。第１の発光部ＬＤ１と第２の発光部ＬＤ２は、ＬＥＤ光源であると好ましい。
【００４１】
保持部材ＨＬは、Ｌ字状に９０度屈曲した板状の中間部ＨＬａと、中間部ＨＬａの両端に取り付け面ＡＰ１、ＡＰ２から離れる方向に突出して形成された矩形柱部ＨＬｂ、ＨＬｂとを有する。矩形柱部ＨＬｂ、ＨＬｂの中間部ＨＬａ側を向いた側面に、それぞれ上下方向に等間隔で、複数個の第１の発光部ＬＤ１と第２の発光部ＬＤ２（図８ではＬＤ２のみ図示）とが取り付けられている。但し、第１の発光部ＬＤ１と第２の発光部ＬＤ２の高さ位置は、同一でなくて良く、千鳥状にずらして設けても良い。中間部ＨＬａ及び矩形柱部ＨＬｂ、ＨＬｂの側面には、拡散構造を設けると好ましい。
【００４２】
照射部材ＬＭは、ガラスやプラスチックを素材として金型成形により、く字状に９０度湾曲した板状体として形成され、ここでは中央部から周辺に向かって肉厚が増大する断面形状を有する。照射部材ＬＭの両端は、肉厚が一定となっており、ここに矩形柱部ＨＬｂ、ＨＬｂを取り付けることで、保持部材ＨＬに組み付けられる。尚、照明装置ＬＰは、図３，５を参照して説明した形状を有する。
【００４３】
本実施の形態によれば、第１の発光部ＬＤ１から出射された光の半分より多くは、直接照射部材ＬＭの入射面ＩＰに入射し、残りは保持部材ＨＬの内面で反射して入射面ＩＰから入射し、更に屈折して第２の発光部ＬＤ２側に回り込むようにして出射面ＯＰから出射でき、また第２の発光部ＬＤ２から出射された光の半分より多くは、直接照射部材ＬＭの入射面ＩＰに入射し、残りは保持部材ＨＬの内面で反射して入射面ＩＰから入射し、更に屈折して第２の発光部ＬＤ２側に回り込むようにして出射面ＯＰから出射できるので、光を効率的に出射させることができ、且つ均一な照度で広範囲に照明することができる。
【００４４】
以下、本実施の形態に好適な実施例について説明する。尚、以下の実施例における照度は、本発明者が行ったシミュレーションにより求めたものであり、照射部材の出射面における平面から出射される光は、図９に示すように、平面に近接対向する平面型検出器ＰＤ１で検出したものとし、曲面から出射される光は、曲面に近接対向する平面型検出器ＰＤ２で検出したものとする。又、平面型検出器ＰＤ１で検出した光の原点は、保持部材の中間部における第２の発光部側の内壁の位置とし、それを基準として第２の発光部側を−とし、第１の発光部側を＋とする。又、以下のシミュレーションでは、第１と第２の発光部を点灯して、照射部材の効果を確認している。
【００４５】
尚、実施例において、特に断らない限り、２つの取り付け面のなす角をθとし、仮想平面に投影された２つの発光面の法線のなす角をαとし、照射部材の入射面を楕円形で表したとき、中央部を挟んで対称形であり、その長径をａ、短径をｂとし、照射部材の光が到達する有効範囲内で、中央部の肉厚をＤ１、中央部以外で最大となる部分の肉厚をＤ２とするものとする。
【００４６】
（比較例１）
まず、図９に示すように照射部材の肉厚が一様である比較例の場合には、平面型検出器ＰＤ１で検出した照度は、図１０に点線で示すようになる。
【００４７】
（実施例１）
これに対し、比較例１とは照射部材の入射面形状のみが異なる実施例１は、図１１（ａ）に示すように、照射部材の中央部から周辺部にかけて肉厚が漸次増大する断面形状であり（図３と同様）、照射部材の最も周辺部が最大肉厚Ｄ２をとり、θ＝９０゜、α＝７０゜、ｂ／ａ＝０．６３、Ｄ２／Ｄ１＝３．５５とした。図１１（ｂ）に、平面型検出器ＰＤ１で検出した照度を示し、図１１（ｃ）に、平面型検出器ＰＤ２で検出した照度を示す。
【００４８】
図１０において、比較例と実施例１とを、平面型検出器ＰＤ１で検出した照度で比較する。比較例では、−側に２つの照度ピークが生じ、しかも＋側の照度は低くなっている。これに対し、実施例１では、−側に２つの照度ピークが消え、しかも＋側の照度は高くなっている。これにより、広範囲に一様な照度が得られることが分かる、
【００４９】
（実施例２）
次に、実施例２も、図１２（ａ）に示すように、照射部材の中央部から周辺部にかけて肉厚が漸次増大する断面形状であり（図３と同様）、照射部材の最も周辺部が最大肉厚Ｄ２をとり、θ＝９０゜、α＝７０゜、ｂ／ａ＝０．６１、Ｄ２／Ｄ１＝３．８５とした。図１２（ｂ）に、平面型検出器ＰＤ１で検出した照度を示し、図１２（ｃ）に、平面型検出器ＰＤ２で検出した照度を示す。
【００５０】
（実施例３）
次に、実施例３も、図１３（ａ）に示すように、照射部材の中央部から周辺部にかけて肉厚が漸次増大する断面形状であり（図３と同様）、照射部材の最も周辺部が最大肉厚Ｄ２をとり、θ＝９０゜、α＝７０゜、ｂ／ａ＝０．６７、Ｄ２／Ｄ１＝２．８５とした。図１３（ｂ）に、平面型検出器ＰＤ１で検出した照度を示し、図１３（ｃ）に、平面型検出器ＰＤ２で検出した照度を示す。
【００５１】
（実施例４）
次に、実施例４は、図１４（ａ）に示すように、照射部材の中央部から周辺部にかけて一旦肉厚が減少した後、漸次増大する断面形状であり、照射部材の最も周辺部が最大肉厚Ｄ２をとり、θ＝９０゜、α＝７０゜、ｂ／ａ＝０．７１、Ｄ２／Ｄ１＝２．１８とした。図１４（ｂ）に、平面型検出器ＰＤ１で検出した照度を示し、図１４（ｃ）に、平面型検出器ＰＤ２で検出した照度を示す。
【００５２】
（実施例５）
次に、実施例５も、図１５（ａ）に示すように、照射部材の中央部から周辺部にかけて一旦肉厚が減少した後、漸次増大する断面形状であり、照射部材の最も周辺部が最大肉厚Ｄ２をとり、θ＝９０゜、α＝７０゜、ｂ／ａ＝０．７７、Ｄ２／Ｄ１＝１．３４とした。図１５（ｂ）に、平面型検出器ＰＤ１で検出した照度を示し、図１５（ｃ）に、平面型検出器ＰＤ２で検出した照度を示す。
【００５３】
（実施例６）
次に、実施例６も、図１６（ａ）に示すように、照射部材の中央部から周辺部にかけて一旦肉厚が減少した後、漸次増大する断面形状であり、中央部の肉厚Ｄ１と、中央部以外で最大肉厚となる周辺部の最大肉厚Ｄ２とが略等しい値をとり、θ＝９０゜、α＝７０゜、ｂ／ａ＝０．８、Ｄ２／Ｄ１≒１．００とした。図１６（ｂ）に、平面型検出器ＰＤ１で検出した照度を示し、図１６（ｃ）に、平面型検出器ＰＤ２で検出した照度を示す。
【００５４】
（実施例７）
次に、実施例７も、図１７（ａ）に示すように、照射部材の中央部から周辺部にかけて肉厚が漸次増大する断面形状であり（図３と同様）、照射部材の最も周辺部が最大肉厚Ｄ２をとり、θ＝９０゜、α＝７０゜、ｂ／ａ＝０．９、Ｄ２／Ｄ１＝４．１４とした。図１７（ｂ）に、平面型検出器ＰＤ１で検出した照度を示し、図１７（ｃ）に、平面型検出器ＰＤ２で検出した照度を示す。
【００５５】
（実施例８）
実施例８は、実施例１〜７とは異なり、図１８（ａ）に示すように、２つの取り付け面の法線が交差しており、且つ照射部材の中央部から周辺部にかけて肉厚が漸次増大する断面形状であり（図６と同様）、照射部材の最も周辺部が最大肉厚Ｄ２をとり、θ＝９０゜、α＝９０゜、ｂ／ａ＝０．６１、Ｄ２／Ｄ１＝３．８５とした。図１８（ｂ）に、平面型検出器ＰＤ１で検出した照度を示し、図１８（ｃ）に、平面型検出器ＰＤ２で検出した照度を示す。
【００５６】
尚、θ＝９０゜に限らず、図１９に示すようにθ＝６０゜でも良く、或いは図２０に示すようにθ＝１２０゜でも良く、出隅部の取り付け面の角度に応じて任意に変更できる。
【００５７】
図２１，図２２は、照射部材ＬＭの内部に空洞を設けた場合の効果を示す図であり、図２２（ａ）の照射部材ＬＭは、図２１（ａ）照射部材ＬＭに対し発光部ＬＤ１，ＬＤ２の近傍に空洞ＶＣを設けた点のみが異なる。図２１（ｂ）、図２２（ｂ）に、平面型検出器ＰＤ１で検出した照度を示し、図２１（ｃ）、図２２（ｃ）に、平面型検出器ＰＤ２で検出した照度を示す。
【００５８】
図２１（ａ），図２２（ａ）に実線で示すように、発光部ＬＤ１，ＬＤ２から出射した光線は、空洞ＶＣ内の空気層で外側に屈折するので、空洞ＶＣを設けない出射部材ＬＭに比べ、より周辺側に光線を角度付けして出射できる。又、図２１（ｂ）に示すように、空洞ＶＣを設けない出射部材ＬＭは、＋側に照度の比較的高いピークを持つが、図２２（ｂ）に示すように、空洞ＶＣを設けることで、かかるピークを低減できる。尚、入射面のみ非球面としても良い。
【００５９】
（実施例９）
実施例９は、実施例１〜８とは異なり、照射部材の入射面（内側面）と出射面（外側面）とを、それぞれ単一の非球面式で表した例であり、その断面形状を図２３に示す。実施例９において、照射部材の入射面と出射面は、それぞれ数１式に表１に示す係数を代入した数式で規定される、光軸の周りに軸対称な非球面に形成されている。
【００６０】
【数１】
2012081360.tif 000003
【００６１】
ここで、ｚは光軸方向の軸、Ｋは円錐係数、Ａiは、ｉ次の非球面係数、ｈは光軸からの高さ、Ｒは近軸曲率半径である。
【００６２】
【表１】
2012081360.tif 000004
【００６３】
（比較例２）
比較例２は、図２４（ａ）に示すように、照射部材の中央部から周辺部にかけて肉厚が一様な断面形状である。図２４（ｂ）に、平面型検出器ＰＤ１で検出した照度を示し、図２４（ｃ）に、平面型検出器ＰＤ２で検出した照度を示す。
【００６４】
（実施例１０）
これに対し、実施例１０は、図２５（ａ）に示すように、照射部材の入射面における周辺部に、断面が三角形状の屈折部材を追加的に接着している点のみが異なる。かかる屈折部材の追加により、照射部材は中央部から周辺部に向かうに連れて肉厚が漸次増大する断面形状でとなる（図３と同様）。図２５（ｂ）に、平面型検出器ＰＤ１で検出した照度を示し、図２５（ｃ）に、平面型検出器ＰＤ２で検出した照度を示す。
【００６５】
図２４（ｂ）と図２５（ｂ）とを比較すると明らかであるが、比較例２に比べ、実施例１０では、＋側の照度が高くなっている。
【００６６】
尚、更に本発明者は、Ｄ２／Ｄ１を変えた場合における効果について検証した。その結果を図２６〜図２９に示す。Ｄ２／Ｄ１＝１の場合に比べ、Ｄ２／Ｄ１＝１．１〜２．２とすると、より＋側の照度が高くなることがわかる。
【００６７】
光源を、その発光面の中心が、保持部材の一部である内壁により近づけて設置することで、照射部材に照度のピークが生じにくくなる。一方で、照射部材に光源が近くなると光源自体による影が目立つため、中空状の構造の中で光源の最適設置位置が存在することは明らかである。光源は配光がランバーシアン形状を示すもの(例えばLED(Light-Emitting Diode))を用いることが望ましい。照射部材の強度の低下と成形性の難易度を上げることになるので、照射部材の厚みをあまりに薄すぎないようにすることが好ましい。
【００６８】
以上、本発明を実施の形態を参照して説明してきたが、本発明は上記実施の形態に限定して解釈されるべきではなく、適宜変更・改良が可能であることはもちろんである。例えば、本発明の照明装置は、屋内外を問わず使用でき、出隅部に限らず梁や自動車のドアステップ、映画館をはじめとする暗所における階段および段差などに取り付けることもできる。
【符号の説明】
【００６９】
１ ルーム壁
２ ルーム壁
ＡＰ１，ＡＰ２ 取り付け面
ＨＬ 保持部材
ＨＬａ 中央部
ＨＬｂ 矩形柱部
ＩＰ 入射面
ＬＤ１ 第１の発光部
ＬＤ２ 第２の発光部
ＬＭ 照射部材
ＬＰ 照明装置
ＯＰ 出射面
【図１】
2012081360.tif 000005
【図２】
2012081360.tif 000006
【図３】
2012081360.tif 000007
【図４】
2012081360.tif 000008
【図５】
2012081360.tif 000009
【図６】
2012081360.tif 000010
【図７】
2012081360.tif 000011
【図８】
2012081360.tif 000012
【図９】
2012081360.tif 000013
【図１０】
2012081360.tif 000014
【図１１】
2012081360.tif 000015
【図１２】
2012081360.tif 000016
【図１３】
2012081360.tif 000017
【図１４】
2012081360.tif 000018
【図１５】
2012081360.tif 000019
【図１６】
2012081360.tif 000020
【図１７】
2012081360.tif 000021
【図１８】
2012081360.tif 000022
【図１９】
2012081360.tif 000023
【図２０】
2012081360.tif 000024
【図２１】
2012081360.tif 000025
【図２２】
2012081360.tif 000026
【図２３】
2012081360.tif 000027
【図２４】
2012081360.tif 000028
【図２５】
2012081360.tif 000029
【図２６】
2012081360.tif 000030
【図２７】
2012081360.tif 000031
【図２８】
2012081360.tif 000032
【図２９】
2012081360.tif 000033
【国際調査報告】
2012081360.tif 000034
2012081360.tif 000035